(57)【要約】【課題】コンテンツに関するコメントを好適な提供方法で視聴者に提供すること。【解決手段】コメント提供装置（１１０）は、コンテンツ表示装置（１０４）の表示画面が映し出されている画像を、コメント表示装置（１０６）から取得する画像取得部（２２２）と、上記表示画面に映し出されているコンテンツを特定するコンテンツ特定部（２２４）と、特定されたコンテンツに関するコメントを、コメント表示装置（１０６）に提供するコメント提供部（２２６）と、を備える。【選択図】図２
2014064145.tif 000002
【特許請求の範囲】
【請求項１】
第１の表示装置の表示画面が映し出されている画像を、第２の表示装置から取得する画像取得手段と、
前記画像に基づき、前記表示画面に映し出されているコンテンツを特定するコンテンツ特定手段と、
コメント配信装置から配信可能なコメントであって、特定された前記コンテンツに関するコメントを、前記第２の表示装置に提供するコメント提供手段と、
を備えることを特徴とするコメント提供装置。
【請求項２】
前記コンテンツ特定手段は、
その表示内容が前記画像と一致する画像を含むコンテンツを検索し、当該検索によって発見されたコンテンツを、前記表示画面に映し出されているコンテンツとして特定する
ことを特徴とする請求項１に記載のコメント提供装置。
【請求項３】
前記画像取得手段は、
前記画像の撮像日時を、前記第２の表示装置からさらに取得し、
前記コンテンツ特定手段は、
その放送日時が前記撮像日時と一致する画像を含むコンテンツを検索し、当該検索によって発見されたコンテンツを、前記表示画面に映し出されているコンテンツとして特定する
ことを特徴とする請求項２に記載のコメント提供装置。
【請求項４】
前記コメント提供手段は、
前記一致する画像以降のコメントを、前記第１の表示装置によるコンテンツの再生と同期させて、前記第２の表示装置に提供する
ことを特徴とする請求項３に記載のコメント提供装置。
【請求項５】
他の表示装置の表示画面が映し出されている画像を、コメント提供装置へ送信する画像送信手段と、
前記画像の送信に応じて、前記コメント提供装置から提供された、前記表示画面に映し出されているコンテンツに関するコメントを取得するコメント取得手段と、
前記コメント取得手段によって取得されたコメントを表示する表示手段と、
を備えることを特徴とするコメント表示装置。
【請求項６】
請求項１から４のいずれか一項に記載のコメント提供装置と、
請求項５に記載のコメント表示装置と、
を備えることを特徴とするコメント提供システム。
【請求項７】
第１の表示装置の表示画面が映し出されている画像を、第２の表示装置から取得する画像取得工程と、
前記画像に基づき、前記表示画面に映し出されているコンテンツを特定するコンテンツ特定工程と、
コメント配信装置から配信可能なコメントであって、特定された前記コンテンツに関するコメントを、前記第２の表示装置に提供するコメント提供工程と、
を含むことを特徴とするコメント提供方法。
【請求項８】
コンピュータを請求項１から４のいずれか一項に記載のコメント提供装置として機能させるためのプログラムであって、前記コンピュータを前記コメント提供装置が備える前記各手段として機能させるプログラム。
【請求項９】
請求項８に記載のプログラムを記録しているコンピュータ読取り可能な記録媒体。
【発明の詳細な説明】
【技術分野】
【０００１】
本発明は、コメント提供装置、コメント表示装置、コメント提供システム、コメント提供方法、プログラム、および記録媒体に関する。
【背景技術】
【０００２】
従来、インターネットから動画コンテンツ（以下、単に「コンテンツ」と示す）を配信するサービスが普及している。このようなサービスの中には、配信されたコンテンツに対して、ユーザがコメントを投稿できるものもある。特に、過去に投稿されたコメントをコンテンツに重ねて表示することも可能なものがあり、これにより、コンテンツの視聴者は、視聴中のコンテンツに対して、他のユーザからどのようなコメントが投稿されたかを同一画面上で知ることができる。
【０００３】
しかしながら、同一のコンテンツに対して多数のコメントが投稿されている場合は、コメントによって画面が覆われてしまう場合があり、このようなコメントの表示は、ユーザにとって、コンテンツの視聴の妨げになる煩わしいものである。
【０００４】
そこで、コンテンツの視聴の妨げにならないようにコメントを表示することを目的として、下記特許文献１には、動画配信サーバーから配信される動画と、コメント配信サーバーから配信されるコメントとを出力する端末において、その入力時間が動画の再生時間に一致するコメントを、表示画面上の動画表示領域以外の領域に表示する技術が開示されている。
【先行技術文献】
【特許文献】
【０００５】
【特許文献１】特開２０１０−１１４５７１号公報（公開日：2010年5月20日）
【発明の概要】
【発明が解決しようとする課題】
【０００６】
しかしながら、上記特許文献１に記載されている技術は、表示画面上に対し、動画表示領域とは別に、コメント表示領域を設ける必要があるため、必然的に、動画表示領域が狭められてしまう。
【０００７】
また、端末のユーザは、その端末に表示されているコンテンツのコメントしか見ることができず、例えば、自ら操作することができない表示装置（例えば、外出先で目にした広告用ディスプレイ等）に映し出されているコンテンツについては、そのコメントを見ることができない。
【０００８】
本発明は、上記の問題に鑑みてなされたものであり、コンテンツに関するコメントを好適な提供方法で視聴者に提供することにある。
【課題を解決するための手段】
【０００９】
上記した課題を解決するため、本発明に係るコメント提供装置は、第１の表示装置の表示画面が映し出されている画像を、第２の表示装置から取得する画像取得手段と、前記画像に基づき、前記表示画面に映し出されているコンテンツを特定するコンテンツ特定手段と、コメント配信装置から配信可能なコメントであって、特定された前記コンテンツに関するコメントを、前記第２の表示装置に提供するコメント提供手段と、を備えることを特徴とする。
【発明の効果】
【００１０】
本発明によれば、コンテンツに関するコメントを好適な提供方法で視聴者に提供することができる。
【図面の簡単な説明】
【００１１】
【図１】本実施形態に係る情報提供システムのシステム構成を示す。
【図２】本実施形態に係るコメント表示装置およびコメント提供装置の機能構成を示す。
【図３】本実施形態に係る情報提供システムによる処理の手順を示すシーケンス図である。
【図４】本実施形態に係るコメント提供装置による具体的な処理の手順を示すフローチャートである。
【図５】本実施形態に係るコメント配信サーバに格納されているコメントの一例を示す。
【図６】本実施形態に係る情報提供システムによるコメント提供処理の具体例を示す。
【発明を実施するための形態】
【００１２】
以下、図１〜図６を参照して、本発明の実施形態について説明する。
【００１３】
〔情報提供システム１０の構成〕
まず、図１を参照して、本実施形態に係る情報提供システム１０のシステム構成について説明する。図１は、本実施形態に係る情報提供システム１０のシステム構成を示す。
【００１４】
図１に示す情報提供システム１０は、動画コンテンツおよび投稿コメントを、各種端末装置に対して配信するシステムである。図１に示すように、情報提供システム１０は、コンテンツ配信サーバ１０２、コンテンツ表示装置１０４、コメント表示装置１０６、コメント配信サーバ１０８、および、コメント提供装置１１０を備えて構成されている。情報提供システム１０において、上記各装置は、複数設けられ得る。
【００１５】
（コンテンツ配信サーバ１０２）
コンテンツ配信サーバ１０２は、コンテンツを配信する。コンテンツ配信サーバ１０２が配信するコンテンツは、放送番組コンテンツのように、放送主から指定されたタイミングで配信されるコンテンツと、投稿動画のように、ユーザから要求されたタイミングで配信されるコンテンツとを含む。
【００１６】
（コンテンツ表示装置１０４）
コンテンツ表示装置１０４は、コンテンツ配信サーバ１０２から配信されたコンテンツを再生および表示する端末装置である。例えば、コメント表示装置１０６としては、テレビジョン受像機、パーソナルコンピュータ、広告用ディスプレイ等が挙げられる。コンテンツ表示装置１０４は、放送波として受信した放送番組コンテンツ（地上デジタル放送、ＢＳ／ＣＳデジタル放送、ケーブルＴＶ等）や、外部入力端子から入力されたコンテンツ等を、再生および表示することもできる。
【００１７】
（コメント配信サーバ１０８）
コメント配信サーバ１０８は、複数のコンテンツの各々について、当該コンテンツに関するコメントを配信する。例えば、コメント配信サーバ１０８は、複数のコンテンツの各々の、上記コメントを格納するデータベースを備える。このデータベースには、ユーザから投稿されたコメントが逐次登録される。コメント配信サーバ１０８は、あるコンテンツに関するコメントが要求されると、そのコメントをデータベースから抽出し、要求元へ配信する。
【００１８】
（コメント表示装置１０６）
コメント表示装置１０６は、コメント配信サーバ１０８から配信されたコメントを表示する端末装置である。例えば、コメント表示装置１０６としては、スマートフォン、携帯電話機、タブレット型端末等が挙げられる。
【００１９】
コメント表示装置１０６からの、コメント配信サーバ１０８へのコメントの要求は、コメント提供装置１１０を介して行われる。具体的には、コメント表示装置１０６のユーザは、視聴しているコンテンツに関するコメントを得たい場合、そのコンテンツが映し出されている表示画面の画像を、当該コメント表示装置１０６が有するカメラ機能によって撮像する。そして、コメント表示装置１０６は、撮像された画像をコメント提供装置１１０へ送信する。
【００２０】
（コメント提供装置１１０）
コメント提供装置１１０は、コメント表示装置１０６の要求に応じて、コメント表示装置１０６のユーザが視聴しているコンテンツに関するコメントを、コメント表示装置１０６へ提供する。具体的には、コメント提供装置１１０は、コメント表示装置１０６によって撮像された画像に基づいて、コメント表示装置１０６のユーザが視聴しているコンテンツを特定する。そして、コメント提供装置１１０は、コメント配信サーバ１０８に格納されているコメントのうち、特定されたコンテンツに関するコメントを、コメント表示装置１０６へ提供する。
【００２１】
このようなコメントの配信システムを実現するため、コメント表示装置１０６、コメント提供装置１１０、およびコメント配信サーバ１０８は、インターネット、電話回線（例えば、３Ｇ回線）等の通信回線を介して、互いに通信を行うことが可能となっている。
【００２２】
このように、本実施形態の情報提供システム１０においては、ユーザは、コンテンツ表示装置１０４（第１の表示装置）によってコンテンツを視聴している際に、その画像を撮像することで、そのコンテンツに関するコメントを、コメント表示装置１０６（第２の表示装置）によって視聴することが可能となっている。すなわち、上記コメントの表示が上記コンテンツの表示を妨げることはないため、ユーザは、上記コンテンツおよび上記コメントの双方を快適に視聴することができる。
【００２３】
〔コメント表示装置１０６およびコメント提供装置１１０の機能構成〕
次に、図２を参照して、コメント表示装置１０６およびコメント提供装置１１０の機能構成について具体的に説明する。図２は、本実施形態に係るコメント表示装置１０６およびコメント提供装置１１０の機能構成を示す。
【００２４】
（コメント表示装置１０６）
図２に示すように、本実施形態のコメント表示装置１０６は、カメラ２０２、画像送信部２０４、コメント取得部２０６、およびディスプレイ２０８を備えている。
【００２５】
（カメラ２０２）
カメラ２０２は、その撮像方向にある被写体の画像を撮像する。例えば、カメラ２０２は、ユーザの操作により、その撮像方向がコンテンツ表示装置１０４に表示画面に向けられ、これにより、コンテンツ表示装置１０４の表示画面の画像を撮像することができる。
【００２６】
（画像送信部２０４）
画像送信部２０４は、カメラ２０２によって撮像された画像を、コメント提供装置１１０へ送信する。画像送信部２０４は、上記画像とともに、上記画像の撮像日時を、コメント提供装置１１０へ送信することもできる。例えば、上記撮像日時は、コメント表示装置１０６に内蔵されている時計から取得することができる。
【００２７】
（コメント取得部２０６）
コメント取得部２０６は、コメント提供装置１１０から提供されたコメントを取得する。例えば、コメント提供装置１１０からコメントが送信されてきた場合（すなわち、コメントを直接的に取得する場合）、コメント取得部２０６は、これを受信することによって当該コメントを取得する。一方、コメント提供装置１１０から、コメントを取得するためのコメント取得情報が送信されてきた場合（すなわち、コメントを間接的に取得する場合）、コメント取得部２０６は、当該コメント取得情報に基づいて、コメント配信サーバ１０８からコメントを取得する。
【００２８】
（ディスプレイ２０８）
ディスプレイ２０８は、コメント取得部２０６によって取得されたコメントを表示する。ディスプレイ２０８によるコメントの表示形態はどのようなものであってもよい。例えば、ディスプレイ２０８は、複数のコメントを同時に表示してもよく、各コメントをスクロール表示してもよい。また、ディスプレイ２０８は、複数のコメントを投稿日時順に、リスト化して表示してもよい。
【００２９】
（コメント提供装置１１０）
一方、図２に示すように、本実施形態のコメント提供装置１１０は、コンテンツ格納部２２０、画像取得部２２２、コンテンツ特定部２２４、およびコメント提供部２２６を備えている。
【００３０】
（コンテンツ格納部２２０）
コンテンツ格納部２２０は、複数のコンテンツを比較用動画として格納する。例えば、コンテンツ格納部２２０は、コンテンツ配信サーバ１０２から配信されたコンテンツを複製したものを、比較用動画として格納する。なお、コンテンツ格納部２２０は、コメント提供装置１１０の外部に設けられていてもよい。例えば、コメント提供装置１１０は、コンテンツ配信サーバ１０２に格納されているコンテンツを、そのまま比較用動画として用いても良い。
【００３１】
（画像取得部２２２）
画像取得部２２２は、コメント表示装置１０６から送信された画像を取得する。画像取得部２２２は、上記画像とともに、上記画像の撮像日時を、コメント表示装置１０６から取得することもできる。
【００３２】
（コンテンツ特定部２２４）
コンテンツ特定部２２４は、画像取得部２２２によって取得された画像から、コンテンツ表示装置１０４の表示画面に映し出されているコンテンツを特定する。
【００３３】
例えば、コンテンツ特定部２２４は、画像取得部２２２によって取得された画像（以下、「取得画像」と示す）と、コンテンツ格納部２２０に格納されている各コンテンツ（比較用動画）とを比較することにより、上記取得画像にマッチングする画像（すなわち、上記取得画像との類似度が高い画像）を含むコンテンツを特定する。そして、コンテンツ特定部２２４は、特定されたコンテンツを、コンテンツ表示装置１０４の表示画面に映し出されているコンテンツとして特定する。
【００３４】
ここで、取得画像と比較用画像とでサイズや形状が異なる場合、コンテンツ特定部２２４は、取得画像を加工し、加工後の取得画像に基づき、コンテンツを特定しても良い。これにより、コンテンツの特定精度を高めることができる。
【００３５】
（コメント提供部２２６）
コメント提供部２２６は、コンテンツ特定部２２４によって特定されたコンテンツに関するコメントを、コメント表示装置１０６へ提供する。コメント提供部２２６によるコメントの提供方法を以下に例示する。
【００３６】
（１）コメントを直接的に提供する方法
例えば、コメント提供部２２６は、コンテンツ特定部２２４によって特定されたコンテンツのコメントを、コメント配信サーバ１０８から取得する。そして、コメント提供部２２６は、取得したコメントを、コメント表示装置１０６へ転送する。
【００３７】
（２）コメントを間接的に提供する方法
例えば、コメント提供部２２６は、コンテンツ特定部２２４によって特定されたコンテンツのコメントを取得するためのコメント取得情報を、コメント表示装置１０６へ送信する。「コメント取得情報」とは、例えば、コメント配信サーバ１０８のアドレス、コンテンツの識別情報等である。コメント表示装置１０６は、当該コメント取得情報を用いて、コンテンツ特定部２２４によって特定されたコンテンツのコメントを、コメント配信サーバ１０８から取得する。このように、間接的にコメントを提供する場合も、「コメントを提供する」の範疇に含まれる。
【００３８】
コメント提供装置１１０が備える上記機能の一部または全部は、コメント配信サーバ１０８、コンテンツ配信サーバ１０２、またはコメント表示装置１０６によって実現されてもよい。
【００３９】
〔情報提供システム１０による処理の手順〕
次に、図３を参照して、情報提供システム１０による処理の手順について説明する。図３は、本実施形態に係る情報提供システム１０による処理の手順を示すシーケンス図である。
【００４０】
（画像撮像）
まず、コメント表示装置１０６において、カメラ２０２により、コンテンツ表示装置１０４の表示画面の画像を撮像する（ステップＳ３０２）。そして、画像送信部２０４により、ステップＳ３０２で撮像された画像を、コメント提供装置１１０へ送信する（ステップＳ３０４）。
【００４１】
（コメント提供）
コメント提供装置１１０においては、画像取得部２２２により、コメント表示装置１０６から送信されてきた画像を受信する（ステップＳ３０６）。そして、コンテンツ特定部２２２４により、ステップＳ３０６で受信した画像から、コンテンツ表示装置１０４の表示画面に映し出されているコンテンツを特定する（ステップＳ３０８）。そして、コメント提供部２２６により、ステップＳ３０８で特定されたコンテンツに関するコメントを取得するためのコメント取得情報を、コメント表示装置１０６へ送信する（ステップＳ３１０）。
【００４２】
（コメント表示）
コメント表示装置１０６においては、コメント取得部２０６により、コメント提供装置１１０から送信されてきたコメント取得情報を受信し（ステップＳ３１２）、当該コメント取得情報に基づき、コメント配信サーバ１０８から、コメントを取得する（ステップＳ３１４）。そして、ディスプレイ２０８により、ステップＳ３１４で取得されたコメントを表示する（ステップＳ３１６）。
【００４３】
〔コメント提供装置１１０による具体的な処理の手順〕
次に、図４を参照して、コメント提供装置１１０による具体的な処理の手順について説明する。図４は、本実施形態に係るコメント提供装置１１０による具体的な処理の手順を示すフローチャートであり、図３に示したコメント提供装置１１０の処理（ステップＳ３０６〜Ｓ３１０）を具体的に説明するためのものである。
【００４４】
この例では、ユーザが視聴中のコンテンツが放送番組コンテンツであるものとする。また、コメント表示装置１０６は、撮像された画像とともに、その撮像日時をコメント提供装置１１０へ送信するものとする。また、コンテンツ格納部２２０には、コメント提供装置１１０が取得可能な全ての放送番組コンテンツが、比較用動画として録画されているものとする。
【００４５】
（コンテンツの特定）
まず、コメント提供装置１１０は、コメント表示装置１０６から送信されてきた画像およびその撮像日時を受信する（ステップＳ４０２）。次に、コメント提供装置１１０は、コンテンツ格納部２２０に格納されている複数の放送番組コンテンツの各々から、上記撮像日時と同日時の静止画を抽出する（ステップＳ４０４）。そして、コメント提供装置１１０は、ステップＳ４０２で取得した取得画像と、ステップＳ４０４で抽出された各静止画とを比較することにより、当該取得画像にマッチングする静止画を検索する（ステップＳ４０６）。
【００４６】
ステップＳ４０６において、取得画像にマッチングする静止画が発見されなかった場合（ステップＳ４０８：Ｎｏ）、コメント提供装置１１０は、メッセージ「放送中の番組からは検索されませんでした」を、コメント表示装置１０６に送信し（ステップＳ４１０）、一連の処理を終了する。
【００４７】
一方、ステップＳ４０４において、取得画像にマッチングする静止画が発見された場合（ステップＳ４０８：Ｙｅｓ）、コメント提供装置１１０は、その静止画を含むコンテンツの放送局名および番組名を、ユーザが視聴しているコンテンツの識別情報として特定する（ステップＳ４１２）。そして、コメント提供装置１１０は、ステップＳ４１４へ処理を進める。
【００４８】
（コメントの提供）
ステップＳ４１４では、コメント提供装置１１０は、ステップＳ４１２で特定された放送局名および番組名に対応するコメントを検索する（ステップＳ４１４）。
【００４９】
ステップＳ４１４において、放送局名および番組名に対応するコメントが発見されなかった場合（ステップＳ４１６：Ｎｏ）、コメント提供装置１１０は、メッセージ「「（番組名）」は動画共有サービスにありません」を、コメント表示装置１０６に送信し（ステップＳ４１８）、一連の処理を終了する。
【００５０】
一方、ステップＳ４１４において、放送局名および番組名に対応するコメントが発見された場合（ステップＳ４１６：Ｙｅｓ）、コメント提供装置１１０は、当該コメントをコメント表示装置１０６に提供し（ステップＳ４２０）、一連の処理を終了する。
【００５１】
〔コメント提供装置１１０によるコメントの提供方法〕
ここで、図５を参照して、コメント提供装置１１０によるコメントの提供方法（ステップＳ４２０）について、より具体的に説明する。図５は、本実施形態に係るコメント配信サーバ１０８に格納されているコメントの一例を示す。
【００５２】
コメント提供装置１１０は、コメント配信サーバ１０８に格納されているコメントのうち、特定されたコンテンツに対するコメントであって、表示装置１０６から取得した画像に一致するシーン（すなわち、一致する画像）以降に投稿されたコメントを、コメント表示装置１０６へ提供する。
【００５３】
例えば、特定されたコンテンツが、現在放送中の放送番組コンテンツである場合、コメント提供装置１１０は、当該コンテンツに対して投稿されてくるコメントを、逐次、コメント表示装置１０６へ提供する。
【００５４】
一方、特定されたコンテンツが、放送が終了している放送番組コンテンツ（すなわち、ユーザが任意のタイミングで視聴しているコンテンツ）である場合、当該コンテンツの上記シーン以降に対して過去に投稿されたコメントを、コメント表示装置１０６へ提供する。
【００５５】
例えば、図５において、コメント表示装置１０６から取得した画像に一致するシーンの放送時刻ｔＡが「10:00:00」の場合、コメント提供装置１１０は、「10:00:00」以降に投稿されたコメントを、コメント表示装置１０６へ提供する。
【００５６】
（コメント同期処理）
特に、コメント提供装置１１０は、上記画像に一致するシーン以降に投稿されたコメントを、コンテンツ表示装置１０４によるコンテンツの再生と同期させて、コメント表示装置１０６へ提供する。すなわち、コメント提供装置１１０は、コンテンツ表示装置１０４においてあるシーンが表示されている場合、コメント表示装置１０６においてそのシーンに対するコメントがタイミングのズレなく表示されるように、コメントの表示タイミングを、シーンの表示タイミングに同期させる。
【００５７】
具体的には、まず、コメント提供装置１１０は、特定されたコンテンツの中から、コメント表示装置１０６から取得した画像に一致するシーンを特定する。このとき、コメント提供装置１１０は、上記画像の表示内容に加え、上記画像の撮像日時に基づいて、上記シーンを特定するとよい。また、コメント提供装置１１０は、コメント表示装置１０６によって録音された、上記画像の撮像日時を含む期間の音声にさらに基づいて、上記シーンを特定してもよい。
【００５８】
そして、コメント提供装置１１０は、特定された上記シーンに対して投稿されたコメントを、コメント表示装置１０６に表示させる。厳密には、シーンを特定している間も、コンテンツの再生はすすんでいるため、特定された上記シーンよりも、当該シーンの特定に要した時間を経過した後のシーンに対して投稿されたコメントを、コメント表示装置１０６に表示させるとよい。
【００５９】
以降、コメント提供装置１１０は、上記シーン以降に投稿されたコメントの各々を、その投稿時刻に応じたタイミング（すなわち、対応するシーンの表示タイミング）で、コメント表示装置１０６に表示させる。
【００６０】
例えば、図５において、ある時刻に、放送時刻ｔＡが「10:00:00」のシーンを特定した場合、コメント提供装置１１０は、その２分４５秒後に、放送時刻が「10:02:45」のシーンに対するコメントを表示させ、さらに３秒後に、放送時刻が「10:02:48」のシーンに対するコメントを表示させるといった具合である。
【００６１】
（コメント表示の中止、終了、開始）
このように、コメント提供装置１１０は、放送番組コンテンツが視聴されている間、そのコンテンツに対するコメントを、コメント表示装置１０６に提供する。コメント提供装置１１０は、放送番組コンテンツがＣＭ中の場合、コメントの提供を一旦停止しても良い。また、コメント提供装置１１０は、放送番組コンテンツが終了した場合は、コメントの提供を終了すると良い。そして、コメント提供装置１１０は、ユーザによって新たに別の放送番組コンテンツの視聴が開始され、その画像が撮像された場合は、その放送番組コンテンツに対するコメントを提供すると良い。
【００６２】
以下、図６を参照して、情報提供システム１０によるコメント提供処理の具体例について説明する。図６は、本実施形態に係る情報提供システム１０によるコメント提供処理の具体例を示す。
【００６３】
図６（ａ）は、コンテンツ表示装置１０４の表示画面に、あるコンテンツのあるシーンが映し出されている様子を示す。
【００６４】
図６（ｂ）は、コメント表示装置１０６によって、コンテンツ表示装置１０４の表示画面の画像が撮像され、当該画像がコメント表示装置１０６の表示画面に映し出されている様子を示す。この状態から、コメント表示装置１０６に対する所定の操作が行われると、上記画像がコメント提供装置１１０へ送信される。
【００６５】
図６（ｃ）は、コメント表示装置１０６の表示画面に、コメントが表示されている様子を示す。図６（ｂ）で説明したように、コメント提供装置１１０へ画像が送信されると、これまでに説明した処理がコメント提供装置１１０によって行われ、上記シーンに対して投稿されたコメントがあれば、そのコメントが直ちにコメント表示装置１０６へ送信されてくる。また、以降のシーンに対して投稿されたコメントがあれば、そのシーンの表示タイミングで、そのコメントがコメント表示装置１０６へ送信されてくる。そして、コメント表示装置１０６は、受信したコメントを表示画面に表示する。図６（ｃ）に示す例では、複数のコメントが並べて表示されており、各コメントは、表示画面上において図中矢印で示すようにスクロール表示されている。
【００６６】
このように、本実施形態の情報提供システム１０によれば、ユーザは、コンテンツ表示装置１０４によってコンテンツを視聴しつつ、そのコンテンツに関するコメントを、コメント表示装置１０６によって視聴することができる。すなわち、上記コメントの表示が上記コンテンツの表示を妨げることはないため、ユーザは、上記コンテンツおよび上記コメントの双方を快適に視聴することができる。
【００６７】
また、本実施形態の情報提供システム１０によれば、コンテンツの画像からコンテンツを特定しているため、ユーザは、自らが操作できない表示装置（例えば、外出先で目にした広告用ディスプレイ等）に映し出されているコンテンツについても、そのコンテンツの画像を撮像してコメント提供装置１１０へ送信すれば、そのコンテンツに対するコメントをコメント表示装置１０６によって視聴することができる。
【００６８】
（プログラム、記憶媒体）
実施形態で説明したコメント提供装置１１０の各機能は、集積回路（ＩＣチップ）上に形成された論理回路によってハードウェア的に実現してもよいし、ＣＰＵを用いてソフトウェア的に実現してもよい。
【００６９】
例えば、コメント提供装置１１０は、各機能を実現するプログラムの命令を実行するＣＰＵ、上記プログラムを格納したＲＯＭ、上記プログラムを展開するＲＡＭ、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、コメント提供装置１１０の各機能を実現することができる。
【００７０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類等を用いることができる。
【００７１】
なお、上記プログラムは、通信ネットワークを介してコメント提供装置１１０に供給されてもよい。この通信ネットワークは、少なくとも上記プログラムをコメント提供装置１１０に伝送可能であればよく、その種類はどのようなものであっても良い。例えば、有線もしくは無線による通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【００７２】
また、上記プログラムをコメント提供装置１１０に供給するための伝送媒体としても、どのような種類のものを利用しても良い。例えば、伝送媒体として、光学ネットワーク、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ、ＤＬＮＡ、携帯電話網、衛星回線、地上波デジタル網等の無線によるものを利用しても良い。
【００７３】
（補足説明）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７４】
（まとめ）
以上のように、本実施形態に係るコメント提供装置（コメント提供装置１１０）は、第１の表示装置（コンテンツ表示装置１０４）の表示画面が映し出されている画像を、第２の表示装置（コメント表示装置１０６）から取得する画像取得手段（画像取得部２２２）と、前記画像に基づき、前記表示画面に映し出されているコンテンツを特定するコンテンツ特定手段（コンテンツ特定部２２４）と、コメント配信装置（コメント配信サーバ１０８）から配信可能なコメントであって、特定された前記コンテンツに関するコメントを、前記第２の表示装置（コメント表示装置１０６）に提供するコメント提供手段（コメント提供部２２６）と、を備えることを特徴とする。
【００７５】
上記コメント提供装置によれば、ユーザは、第１の表示装置によってコンテンツを視聴しつつ、そのコンテンツに関するコメントを、第２の表示装置によって視聴することができる。すなわち、上記コメントの表示が上記コンテンツの表示を妨げることはないため、ユーザは、上記コンテンツおよび上記コメントの双方を快適に視聴することができる。
【００７６】
また、ユーザは、自らが操作できない表示装置（例えば、外出先で目にした広告用ディスプレイ等）に映し出されているコンテンツについても、その画像を撮像してコメント提供装置へ送信すれば、そのコメントを得ることができる。
【００７７】
上記コメント提供装置（コメント提供装置１１０）において、前記コンテンツ特定手段（コンテンツ特定部２２４）は、前記画像と一致する画像を含むコンテンツを検索し、当該検索によって発見されたコンテンツを、前記表示画面に映し出されているコンテンツとして特定することが好ましい。
【００７８】
上記構成によれば、コンテンツの情報（例えば、コンテンツ名、放送局、番組名等）をユーザが何ら知っていなくとも、コンテンツを特定することができる。
【００７９】
上記コメント提供装置（コメント提供装置１１０）において、前記画像取得手段（画像取得部２２２）は、前記画像の撮像日時を、前記第２の表示装置（コメント表示装置１０６）からさらに取得し、前記コンテンツ特定手段（コンテンツ特定部２２４）は、その放送日時が前記撮像日時と一致する画像を含むコンテンツを検索し、当該検索によって発見されたコンテンツを、前記表示画面に映し出されているコンテンツとして特定することが好ましい。
【００８０】
上記構成によれば、高精度かつ短時間で、コンテンツを特定することができる。例えば、同一のシーンを含むコンテンツが複数存在する場合でも、いずれのコンテンツが該当するかを短時間で特定することができる。
【００８１】
上記コメント提供装置（コメント提供装置１１０）において、前記コメント提供手段（コメント提供部２２６）は、前記一致する画像以降のコメントを、前記第１の表示装置（コンテンツ表示装置１０４）によるコンテンツの再生と同期させて、前記第２の表示装置（コメント表示装置１０６）に提供することが好ましい。
【００８２】
上記構成によれば、コンテンツの表示内容と、コメントの表示内容とが一致する、自然なコメント表示が可能である。
【００８３】
また、本実施形態に係るコメント表示装置（コメント表示装置１０６）は、他の表示装置（コンテンツ表示装置１０４）の表示画面が映し出されている画像を、コメント提供装置（コメント提供装置１１０）へ送信する画像送信手段（画像送信部２０４）と、前記画像の送信に応じて、前記コメント提供装置（コメント提供装置１１０）から提供された、前記表示画面に映し出されているコンテンツに関するコメントを取得するコメント取得手段（コメント取得部２０６）と、前記コメント取得手段（コメント取得部２０６）によって取得されたコメントを表示する表示手段（ディスプレイ２０８）と、を備えることを特徴とする。
【００８４】
また、本実施形態に係るコメント提供システム（情報提供システム１０）は、上記コメント提供装置（コメント提供装置１１０）と、上記コメント表示装置（コメント表示装置１０６）と、を備えることを特徴とする。
【００８５】
また、本実施形態に係るコメント提供方法は、第１の表示装置（コンテンツ表示装置１０４）の表示画面が映し出されている画像を、第２の表示装置（コメント表示装置１０６）から取得する画像取得工程と、前記画像に基づき、前記表示画面に映し出されているコンテンツを特定するコンテンツ特定工程と、コメント配信装置（コメント配信サーバ１０８）から配信可能なコメントであって、特定された前記コンテンツに関するコメントを、前記第２の表示装置（コメント表示装置１０６）に提供するコメント提供工程と、を含むことを特徴とする。
【００８６】
また、本実施形態に係るプログラムは、コンピュータを上記コメント提供装置（コメント提供装置１１０）として機能させるためのプログラムであって、上記コンピュータを前記コメント提供装置（コメント提供装置１１０）が備える前記各手段として機能させる。
【００８７】
また、本実施形態に係るコメント記録媒体は、上記プログラムを記録しているコンピュータ読取り可能な記録媒体である。
【００８８】
上記コメント提供システム、上記コメント提供方法、上記プログラム、および上記記録媒体によれば、上記コメント提供装置と同様の効果を奏することができる。
【符号の説明】
【００８９】
１０  情報提供システム（コメント提供システム）
１０２  コンテンツ配信サーバ
１０４  コンテンツ表示装置（第１の表示装置、他の表示装置）
１０６  コメント表示装置（第２の表示装置、コメント表示装置）
１０８  コメント配信サーバ（コメント配信装置）
１１０  コメント提供装置
２０２  カメラ
２０４  画像送信部
２０６  コメント取得部
２０８  ディスプレイ（表示手段）
２２０  コンテンツ格納部（コンテンツ格納手段）
２２２  画像取得部（画像取得手段）
２２４  コンテンツ特定部（コンテンツ特定手段）
２２６  コメント提供部（コメント提供手段）
【図１】
2014064145.tif 000003
【図２】
2014064145.tif 000004
【図３】
2014064145.tif 000005
【図４】
2014064145.tif 000006
【図５】
2014064145.tif 000007
【図６】
2014064145.tif 000008